(57)【要約】【課題】耳掛け部８を形成する１本の非伸縮性紐７の両端を紐留め具９で連結し、非伸縮性紐７を耳方向へ引っ張る力により、紐留め具９を瞼に押し付けて瞼に軽微な圧力を与え眼精疲労状態を緩和する。【解決手段】鼻に架け渡して両眼を覆うアイマスク本体１の左右両端部に、上下対となる紐挿通孔６、６を設け、この紐挿通孔６、６に非伸縮性紐７の両端をアイマスク本体１の顔面側から外面側方に挿通し、アイマスク本体１の左右外側方に環状耳掛け部８を形成し、アイマスク本体１の外面側に於ける眼対応位置には、両眼を夫々軽微に圧迫可能な形状の紐留め具９を配設し、紐留め具９には非伸縮性紐７の両端が位置移動、且つ係脱可能に取り付ける。【選択図】図１
2006271937.tif 000002
【特許請求の範囲】
【請求項１】
鼻に架け渡して両眼を覆うアイマスク本体の左右両端部に、上下対となる紐挿通孔を設け、
この紐挿通孔に非伸縮性紐の両端を前記アイマスク本体の顔面側から外面側方に挿通し、
前記アイマスク本体の左右外側方に環状耳掛け部を形成し、
前記アイマスク本体の外面側に於ける両眼対応位置には、両眼を夫々軽微に圧迫可能な形状の紐留め具を配設し、
この紐留め具には前記非伸縮性紐の両端が位置移動可能、且つ係脱可能に取り付けられてなることを特徴とするアイマスク。
【発明の詳細な説明】
【技術分野】
【０００１】  本発明はアイマスクに関し、更に詳しくは眼精疲労症状を緩和するために使用するアイマスクに関する。
【背景技術】
【０００２】  近年、コンピュータ画面の凝視等により眼精疲労症状を訴える人が著しく増加した。眼精疲労症状を緩和するためのアイマスクとしては、アイマスク本体の顔面側に含水された吸水性部材が具備され、この吸水性部材には両眼球を圧迫するように両眼球対応位置に突出部が設けられ、この突出部には他の部分よりも多くの水が含まれ、含水された突出部を眼球に押し当ててドライアイの症状を緩和しようとするものが提案されている（例えば、特許文献１参照）。
又、安眠用のアイマスクとして、無端の環状伸縮性バンドに２個の植毛パッドを移動可能に取り付け、伸縮性バンドの伸縮力で瞼を微小圧迫して安眠と瞼の脂肪除去を目的とするものが提案されている（例えば、特許文献２参照）。
又、マスクや眼帯の耳掛け部に関するものとして、１本の紐の両端を、２孔又は４孔の糸孔を穿設した盤状ボタンに挿通し、紐の長さを調整するようにしたものが提案されている（例えば、実用新案文献１参照）。
【特許文献１】特開２００４−２５４９９４号公報
【特許文献２】特開平６−３１５４９９号公報
【実用新案文献１】
実用新案登録第３０８８５０１号の登録実用新案公報。
【発明の開示】
【発明が解決しようとする課題】
【０００３】  上記特許文献１記載のアイマスクは、アイマスクと顔面との間を加湿状態としてドライアイの症状を改善し、突出部の微小圧迫で角膜表面のくせ付けを促進して近視を矯正するようにしているが、雑菌繁殖防止のために洗浄を必要とし、手軽に使用ができず、又、密着剤がポリウレタン発泡体等からなるため顔面への衝撃や刺激が強く、長時間に亘たる使用には不向きであるという問題点があった。
特許文献２記載のアイマスクは頭部に巻き付けた伸縮性バンドの復元力により植毛パッドを瞼に押し付ける構成であるため、植毛パッドの瞼への圧力を調整不可能で、却って眼の健康を害し、常時伸縮性バンドで頭を締め付けているため筋収縮性偏頭痛様の症状の原因となる問題点があった。又、植毛パッドの抜毛が眼に入り、角膜等を傷付けるおそれがあり、伸縮性バンドで圧迫される目頭から目尻、こめかみ等に押し付けられた跡が残るという欠点も有していた。
実用新案文献１記載のマスクや眼帯の耳掛け部は、１本の紐をマスクや眼帯の紐孔を挿通させて、紐の両端を紐孔より外部に引き出し、引き出された紐の両端は２孔若しくは４孔を有する盤状ボタンに挿通して環状耳掛け部を形成し、紐を盤状ボタンの孔内を移動させることにより耳掛け部の長さ調整を行うもので、瞼を軽微に圧迫させることで眼精疲労を緩和させる本願発明とは構成及び作用効果を別異にする。
本願発明は、耳掛け部を形成する１本の非伸縮性紐の両端を紐留め具で連結し、非伸縮性紐を耳方向へ引っ張る力により、留め具を瞼に押し付けて瞼に軽微な圧力を与えて眼精疲労状態を緩和することを目的とする。
【課題を解決するための手段】
【０００４】  本願発明は、鼻に架け渡して両眼を覆うアイマスク本体の左右両端部に、上下対となる紐挿通孔を設け、この紐挿通孔に非伸縮性紐の両端を前記アイマスク本体の顔面側から外面側方に挿通し、前記アイマスク本体の左右外側方に環状耳掛け部を形成し、前記アイマスク本体の外面側に於ける両眼対応位置には、両眼を夫々軽微に圧迫可能な形状の紐留め具を配設し、この紐留め具には前記非伸縮性紐の両端が位置移動可能且つ係脱可能に取り付けられてなることを特徴とする。
【発明の効果】
【０００５】  本発明は、伸縮性を全く有しない性質の紐を用いているため、鼻とアイマスク本体の紐挿通孔の傾斜角度を利用して紐留め具で軽微に眼を圧迫でき、耳が痛くなることなく眼精疲労症状を緩和できるという効果がある。
【発明を実施するための最良の形態】
【０００６】  図１はアイマスクの正面図、図２は背面図、図３は紐留め具の作動状態を示す断面図、図４は使用状態を示す説明図である。【０００７】  これらの図において、アイマスク本体１は遮光性材料を用い、下側縁の略中央を上側縁方に僅かばかり窪ませて使用の際に鼻孔が露出するようにし、鼻を架け渡して両眼を被覆可能な横幅を有する横方向に長い形状に形成されている。遮光性材料の一例として、例えば保温性を有するキルティング材２を外面側に、黒色等の濃色に染色された布３を眼面側にして重合し、周縁をバイアステープ４で包んで縫着したものを用いている。５は所定の厚みを有する光侵入防止片であって、下瞼と頬突出部との間の窪みに位置し、眼への下方からの光の侵入を防止するためにアイマスク本体１の下部に縫着されている。【０００８】  アイマスク本体１の左右両端部には上下１対の紐挿通孔６を設けている。２本の紐７、７で夫々耳掛け部８、８を形成している。詳しくは、各紐挿通孔６、６には、１本の紐７の両端が、夫々顔面側から外面側に挿通され、顔面側方に於いて環状の耳掛け部８を形成している。紐７、７は伸縮性を有しない材質のものであることを必要とする。非伸縮性の紐７、７の両端は、外面側に於ける眼配設位置にて紐留め具９、９により移動及び係脱可能に連結されている。【０００９】  図３により紐留め具９の構成を説明する。紐留め具９は、上方を開口した有底円筒体１０とバネ１１及び紐押さえ１２とより構成されている。有底円筒体１０の周壁上部には、２本の紐７が充分挿通可能な径の孔が対設されている。紐押さえ１２は、有底円筒体１０の内側を上下動可能な円柱体の上部に紐７の直径の２倍以上の径を有する紐挿通孔１３が横方向に貫設されている。【００１０】  次に作用について説明する。
耳掛け部８、８を両耳の付け根に夫々掛け、アイマスク本体１を人の顔面の鼻を掛け渡して両眼を覆い、両眼の真上に紐留め具９が位置するように紐７に沿って紐留め具９を移動し、紐留め具９を所望位置に配置した状態でアイマスクを着用する。【００１１】  まず、紐留め具９の動作について説明すると、図３中の矢印で示す方向に紐押さえ１２を押し下げ、有底中空円筒体１０の周壁上部に穿設した紐挿通孔と紐押さえ１２の紐挿通孔１３が横方向に同一直線上に配置するようにし、１本の紐７の両端を、有底中空円筒体１０の周壁上部に穿設された一方の紐挿通孔へ挿し入れ、紐押さえ１２の紐挿通孔１３を通って、有底中空円筒体１０の周壁上部に穿設された他方の紐挿通孔より引き出す。紐押さえ１２を押し下げ、有底中空円筒体１０の紐挿通孔と紐押さえ１２の紐挿通孔１３が同一直線上に配置している状態のときに、有底中空円筒体１０及び紐押さえ１２をアイマスク本体１の両眼配設対応位置に移動して位置調整を行なう。紐押さえ１２の押し下げを解除すると、バネ１１の復元力により紐押さえ１２は有底中空円筒体１０内を上方に位置移動する。２本の紐７は、有底中空円筒体の周壁上部に穿設された紐挿通孔の上側孔縁と、紐挿通孔１３の下側孔縁とにより挟み付けられて、位置移動不可能に固定される。【００１２】  通常、人の顔面形状は平面から見て眼よりも鼻の位置が最も突出している。図４に示すように、アイマスクを着用すると、アイマスク本体１の形状は、顔面形状に対応してアイマスク本体１の横方向略中央位置が最も正面方向に突出し、アイマスク本体１の左右両端方にかけて緩やかに後方に傾斜している。紐挿通孔６よりアイマスク本体１の顔面側に引き出された紐は耳掛け部８を形成し、紐留め具９と連結した紐７は紐挿通孔６の方向に引っ張られる。紐留め具９に働く力のうち、紐７を通じて紐挿通孔６の方向に働く力をｆとし、紐留め具９が眼の方向に働く力をＮとし、紐留め具９の位置からＮに対し外側方に９０°の角度を有する線とｆとのなす角をθとすると、Ｎ＝ｆｓｉｎθの式が成立する。アイマスクを着用すると、紐留め具９から眼にはＮ＝ｆｓｉｎθの力が働いて眼を軽微に圧迫し、眼精疲労症状を緩和する。光侵入防止片５は下瞼の下方の窪みに合致して配設され、鼻と頬との間から侵入する光を遮断し眼を光の刺激から守るようにしている。
【実施例２】
【００１３】  図５に示される実施例２を説明する。実施例１と異なる点は、紐１４のアイマスク本体１への取付である。紐１４の略中央部は、アイマスク本体１に縫着固定し、紐１４の両端は夫々有底中空円筒体１０、１０の周壁上部に穿設された内側の紐挿通孔へ挿し入れられ、紐押さえ９、９の紐挿通孔１３を通って有底中空円筒体１０、１０の周壁上部に窮設された外側の紐挿通孔から引き出され、上下対となる紐挿通孔６、６のうちの下側紐挿通孔６、６から顔面側に夫々引き出され、環状の耳掛け部８、８を形成し、上側紐挿通孔６、６から夫々外面側に引き出して、両端を夫々有底中空円筒体１０、１０の紐挿通孔及び紐押さえ１２の紐挿通孔１３、１３に挿通し、有底中空円筒体１０、１０より外側に引き出して形成されている。
このように、紐１４の中央部をアイマスク本体１に縫着固定することにより、紐留め具９、９の位置が定まりやすく、特に極めて鼻の低い人が使用する場合であっても紐留め具９、９が紐挿通孔６、６の側へ移動することがなく、紐留め具９、９の位置ずれが生じることがない。
【図面の簡単な説明】
【００１４】
【図１】アイマスクの正面図である。（実施例１）
【図２】アイマスクの背面図である。（実施例１）
【図３】紐留め具の作動状態を示す断面図である。（実施例１）
【図４】使用状態を示す説明図である。（実施例１）
【図５】アイマスクの正面図である。（実施例２）
【符号の説明】
【００１５】  １  アイマスク本体
６  紐挿通孔
７、１４  紐
８  耳掛け部
９  紐留め具
【図１】
2006271937.tif 000003
【図２】
2006271937.tif 000004
【図３】
2006271937.tif 000005
【図４】
2006271937.tif 000006
【図５】
2006271937.tif 000007